(57)【特許請求の範囲】
【請求項１】
上面から上下動可能なステム(4)を起立し、そのステムの上下動によりステムの上端からエアゾールガスを噴出可能とした容器体(2)と、
この容器体の胴部(3)に下端部を嵌合させた有頂筒形のキャップ(20)と、
上記ステム(4)にこのステムと共に上下動可能な基台(12)を連結し、その基台(12)の上面から適数の突子(14)を起立した補助部材(10)とを具備し、
上記キャップ(20)は、頂壁(22)の一部を、切込み線(28)と屈折線(30)とで囲われこの屈折線を中心とする下方へ折曲げの可能に設けた蓋板(26)とし、かつこの蓋板(26)を下方への折曲げ状態で維持する固定手段(32)を有しており、
この下方への蓋板(26)の折曲げ状態でキャップ(20)を容器体(2)に嵌合することで、蓋板(26)の先端側の部分が上記突子(14)を下方へ圧接できるように設け、
突子圧接部である蓋板(26)と被圧接部である突子(14)とを介してキャップ(20)で基台(12)を押し下げることで、上記基台(12)及びステム(4)の押下げ状態を維持することが可能に構成し、
上記前後方向への回動可能な蓋板(26)の先端部の左右両側に押圧手段(38)を形成し、この押圧手段で左右一対の突子(14)を下外方へ押すことで、上記基台(12)及びステム(4)を押し下げるようにしたことを特徴とする、ガス抜き可能なエアゾール容器。
【請求項２】
上面から傾動可能なステム(4)を起立し、そのステムの傾動によりステムの上端からエアゾールガスを噴出可能とした容器体(2)と、
この容器体の胴部(3)に下端部を嵌合させた有頂筒形のキャップ(20)と、
上記ステム(4)にこのステムと共に傾動可能な基台(12)を連結し、その基台(12)の上面から適数の突子(14)を起立した補助部材(10)とを具備し、
上記キャップ(20)は、頂壁(22)の一部を、切込み線(28)と屈折線(30)とで囲われこの屈折線を中心とする下方へ折曲げの可能に設けた蓋板(26)とし、かつこの蓋板(26)を下方への折曲げ状態で維持する固定手段(32)を有しており、
この下方への蓋板(26)の折曲げ状態でキャップ(20)を容器体(2)に嵌合することで、蓋板(26)の先端側の部分が上記突子(14)を下方へ圧接できるように設け、
突子圧接部である蓋板(26)と被圧接部である突子(14)とを介してキャップ(20)で基台(12)を押し下げることで、上記基台(12)及びステム(4)の傾斜状態を維持することが可能に構成し、
上記前後方向への回動可能な蓋板(26)の先端部の左右両側の一方に押圧手段(38)を形成し、この押圧手段で突子(14)を下外方へ押すことで、上記基台(12)及びステム(4)を傾動させるようにしたことを特徴とする、ガス抜き可能なエアゾール容器。
【請求項３】
上記蓋板(26)を、頂壁の内側の屈折線(30)と各屈折線(30)の両端と連続するＵ字形の切込み線(28)とで囲まれる前後一対の蓋板とし、
これら蓋板(26)を下方への折り曲げた状態で各蓋板の対向部分の一方から大径筒(34)を、他方から小径筒(36)をそれぞれ突設し、これら両筒を相互に嵌合させることで上記固定手段(32)として各蓋板の折曲げ状態を維持するように設け、
かつ上記ステム(4)から２枚の蓋板(26)間の間隙(48)内へエアゾールガスを吹き込むように構成したことを特徴とする、請求項１又は請求項２記載のガス抜き可能なエアゾール容器。
【請求項４】
上記突子(14)を屈曲可能な弾性材料で形成するとともに、上記押圧手段(38)を前後一対の蓋板(26)の先端部内面の一方或いは双方から突出する邪魔板(40)で形成し、
この邪魔板は蓋板(26)の下方折曲げ状態で前後方向から見て、右下又は左下にふくらんだ円弧形状としたことを特徴とする、請求項１から請求項３の何れかに記載のガス抜き可能なエアゾール容器。
【請求項５】
上記基台(12)の上面内周部から複数の突子(14)を起立し、これら突子を相互に離して周方向に配置したことを特徴とする、請求項１から請求項４の何れかに記載のガス抜き可能なエアゾール容器。
【請求項６】
上記基台(12)の全体に頭皮タッチ用のブラシとして突子(14)を点在させたことを特徴とする、請求項１から請求項５の何れかに記載のガス抜き可能なエアゾール容器。
【発明の詳細な説明】
【技術分野】
【０００１】
本発明は、ガス抜き可能なエアゾール容器に関する。
【背景技術】
【０００２】
近年、エアゾール容器を安全に廃棄するため、ガス抜き機構を備えることが要望されている。エアゾールガスの噴霧方法としては、ステムを押下げるタイプと、ステムを傾斜させるタイプとがあり、それぞれにガス抜き機構が提案されている。前者の場合には、例えば容器体の上部に嵌合するキャップの頂壁の一部を、切込み線穿設により内方へ折り返し可能な蓋に形成し、その蓋の先端をステムに当接して押下げ状態を維持するものがある（特許文献１）。後者の場合には、ステムの先端から起立したノズル筒の下端と、エアゾール容器の上端外周部に嵌合したカバー筒との間にノズル筒を傾斜した状態で支える固定手段を設けたものがある（特許文献２）。
【特許文献１】特開2004−168356
【特許文献２】特開2007−197048
【特許文献３】特開平10−029658
【発明の開示】
【発明が解決しようとする課題】
【０００３】
特許文献１のものでは、キャップの頂壁に形成した蓋板を折り返し、蓋板の先端でステムの上端開口を押し下げるように構成している。この場合に、蓋板を垂直に折り返してステム上端に当接させると、開口部をふさいでしまうので、蓋板が斜めになった状態でステム先端に係合するように設計されているが、これではガス抜き状態で外力が作用したときに外れてしまうおそれがあり、またエアゾールの種類によってはゾルが蓋板の先端に付着してしまう可能性がある。
【０００４】
特許文献２のものでは、ステムにノズルを嵌合したタイプのものにしか適用することができず、設計上の自由度が少ない。例えば最近のエアゾール容器では、ステムの先端に頭皮マッサージ用の複数の突起を具備したアタッチメントを取り付ける場合があり（特許文献３）、こうした場合を含む各種用途に使用できることが望ましい。
【０００５】
本発明は、ガス抜きを確実に行うことができるガス抜き機構付きのエアゾール容器を提案することを目的とし、併せてこうした容器であって、特定の用途に限定されずに使用できるもの、安全に使用できるものを提案することを目的とする。
【課題を解決するための手段】
【０００６】
第１の手段は、ガス抜き可能なエアゾール容器であり、
上面から上下動可能なステム４を起立し、そのステムの上下動によりステムの上端からエアゾールガスを噴出可能とした容器体２と、
この容器体の胴部３に下端部を嵌合させた有頂筒形のキャップ２０と、
上記ステム４にこのステムと共に上下動可能な基台１２を連結し、その基台１２の上面から適数の突子１４を起立した補助部材１０とを具備し、
上記キャップ２０は、頂壁２２の一部を、切込み線２８と屈折線３０とで囲われこの屈折線を中心とする下方へ折曲げの可能に設けた蓋板２６とし、かつこの蓋板２６を下方への折曲げ状態で維持する固定手段３２を有しており、
この下方への蓋板２６の折曲げ状態でキャップ２０を容器体２に嵌合することで、蓋板２６の先端側の部分が上記突子１４を下方へ圧接できるように設け、
突子圧接部である蓋板２６と被圧接部である突子１４とを介してキャップ２０で基台１２を押し下げることで、上記基台１２及びステム４の押下げ状態を維持することが可能に構成し、
上記前後方向への回動可能な蓋板２６の先端部の左右両側に押圧手段３８を形成し、この押圧手段で左右一対の突子１４を下外方へ押すことで、上記基台１２及びステム４を押し下げるようにしている。
【０００７】
本手段は、ステムに付設した基台から起立する突子を介して、キャップの蓋板に対してステムを押下げるエアゾール容器を提供する。より具体的には、蓋板２６の先端部の左右両側に押圧手段を設けることで突子を左右均等に押し下げ、基台及びステムを下降させることを提案している。ステムの上下動により作動するタイプのエアゾール容器に適している。
【０００８】
「蓋板」は、キャップの頂壁に下方への折り返し可能に形成されており、突子の上部を下方に押し下げる押圧板としての機能を有する。蓋板は一つでもよく、複数あってもよい。
「固定手段」は、蓋板の下方折り返し状態を維持する手段である。例えばキャップ頂壁の裏面から係止板を垂下し、この係止板との間で蓋板を着脱自在に固定するようにしてもよい。
「補助部材」は、ステムに取り付けられ、ステムを本手段では上下動（第２の手段では傾動）させるためのアタッチメントである。補助部材は、ステムへ取り付けるための基台を有する。
「台」とは物を上に乗せる（突子を上に形成する）ための平らなものという程度の意味であり、水平板状のものが普通であるが、これに限定されない。例えばステムから左右水平方向に延びるアーム状とし、このアームから突子を起立しても構わない。
「突子」は、基台と蓋板との間に介在して蓋板の押下げ力を基台へ伝達する機能を有する。好適な図示例では、突子を縦棒状（乃至ロッド状）に形成しているが、この構造には限定されない。上記機能を実現するため、上下方向にある程度の長さがあり、かつ押下げ力を伝達できる程度の強度を有していれば、どのような形でもよい。また突子は１本でもよいが、複数本設けてもよい。これら突子は軟材質で形成することができる。突子はブラシの櫛歯を兼用してもよい。
【０００９】
第２の手段は、ガス抜き可能なエアゾール容器であり、
上面から傾動可能なステム４を起立し、そのステムの傾動によりステムの上端からエアゾールガスを噴出可能とした容器体２と、
この容器体の胴部３に下端部を嵌合させた有頂筒形のキャップ２０と、
上記ステム４にこのステムと共に傾動可能な基台１２を連結し、その基台１２の上面から適数の突子１４を起立した補助部材１０とを具備し、
上記キャップ２０は、頂壁２２の一部を、切込み線２８と屈折線３０とで囲われこの屈折線を中心とする下方へ折曲げの可能に設けた蓋板２６とし、かつこの蓋板２６を下方への折曲げ状態で維持する固定手段３２を有しており、
この下方への蓋板２６の折曲げ状態でキャップ２０を容器体２に嵌合することで、蓋板２６の先端側の部分が上記突子１４を下方へ圧接できるように設け、
突子圧接部である蓋板２６と被圧接部である突子１４とを介してキャップ２０で基台１２を押し下げることで、上記基台１２及びステム４の傾斜状態を維持することが可能に構成し、
上記前後方向への回動可能な蓋板２６の先端部の左右両側の一方に押圧手段３８を形成し、この押圧手段で突子１４を下外方へ押すことで、上記基台１２及びステム４を傾動させるようにしている。
【００１０】
本手段は、ステムに付設した基台から起立する突子を介して、キャップの蓋板に対してステムを傾動させるエアゾール容器を提供する。具体的には、蓋板２６の先端部の左右両側の一方に押圧手段を設けることで突子を左右不均等に押し下げ、基台及びステムを傾斜させることを提案している。ステムの傾動により作動するタイプのエアゾール容器に適している。
【００１１】
「突子」は、基台と蓋板との間に介在して蓋板の押下げ力を基台へ伝達する機能を有する。好適な図示例では、突子を縦棒状（乃至ロッド状）に形成しているが、この構造には限定されない。上記機能を実現するため、上下方向にある程度の長さがあり、かつ押下げ力を伝達できる程度の強度を有していれば、どのような形でもよい。また突子は１本でもよいが、複数本設けてもよい。これら突子は軟材質で形成することができる。突子はブラシの櫛歯を兼用してもよい。
【００１２】
第３の手段は、第１の手段又は第２の手段を有し、かつ
上記蓋板２６を、頂壁の内側の屈折線３０と各屈折線３０の両端と連続するＵ字形の切込み線２８とで囲まれる前後一対の蓋板とし、
これら蓋板２６を下方への折り曲げた状態で各蓋板の対向部分の一方から大径筒３４を、他方から小径筒３６をそれぞれ突設し、これら両筒を相互に嵌合させることで上記固定手段３２として各蓋板の折曲げ状態を維持するように設け、かつ上記ステム４から２枚の蓋板２６間の間隙４８内へエアゾールガスを吹き込むように構成している。
【００１３】
本手段では、蓋板を２枚設け、それらが互いに支えあって下方への折り曲げ状態を維持するように、両蓋板間に固定手段である大径筒及び小径筒を形成している。このような構成とすることの理由は次の通りである。
【００１４】
第一に、蓋板が一枚のみに比較して突子が接触し得る面積を広くとることが可能となることである。これによりキャップの向き如何によらず突子との当接が確実となる。
【００１５】
第二に、ガス抜きの際にエアゾールガスが外部に直接噴き出すことを防止することである。即ちステムから噴き出したエアゾールガスは、２枚の蓋板と蓋板間の頂壁部分とで囲われる空間内に入り、キャップ内で対流した後にキャップ頂壁側から外へ流れ出す。これにより利用者の衣服にガスが付着するようなことを避けることができる。
【００１６】
「蓋板」は、頂壁の一部として形成されており、これら蓋板を押し込むことで突子を介してステムを押し下げるという機能、及び押し込み後に蓋板形成箇所に排気口を開口するという２つの機能を有する。「Ｕ字形」とは屈接線の両端を結ぶ形状であり、図示例に示すような弧形状を含む。「切込み線」は、蓋板の押下げにより破断可能な破断線を含む。
【００２１】
第４の手段は、第１の手段から第３の手段の何れかを有し、かつ
上記突子１４を屈曲可能な弾性材料で形成するとともに、上記押圧手段３８を前後一対の蓋板２６の先端部内面の一方或いは双方から突出する邪魔板４０で形成し、
この邪魔板は蓋板２６の下方折曲げ状態で前後方向から見て、右下又は左下にふくらんだ円弧形状としている。
【００２２】
本手段では、押圧手段として邪魔板を設けることで突子との接触面積を広くしている。エアゾール容器はステムが僅かに押下げられ、或いは傾いたときでもエアゾールガスを噴出するように構成されているが、それだからといって、キャップを容器体に嵌合させたときに蓋板の先端が突子に僅かに押し下げられるように設計してしまうと、キャップの向きや成形誤差などにより、十分な押下げ量が得られない可能性がある。そこで本発明では、上述のように屈曲可能な突子が円弧状の邪魔板の何れの場所に突子が当たっても、ステムを下降又は傾動させることができるようにしている。
【００２３】
また本手段では、突子を屈曲可能な弾性材料で形成することで、突子の形状を左右外方にそらせて曲げることで、容器やブラシの上下のばらつきを吸収し、容器とキャップの嵌合を安定化させている。
【００２４】
第５の手段は、第１の手段から第４の手段のいずれかを有し、かつ
上記基台１２の上面内周部から複数の突子１４を起立し、これら突子を相互に離して周方向に配置している。
【００２５】
本手段によれば、上記突子１４を少なくとも周方向に形成して、キャップの周方向の位置決めを不要としている。
【００２６】
第６の手段は、第１の手段から第５の手段を有し、かつ
上記基台１２の全体に頭皮タッチ用のブラシとして突子１４を点在させている。
【００２７】
このような構成とすることで頭皮のマッサージに利用することができる。
【発明の効果】
【００２８】
第１の手段又は第２の手段に係る発明によれば、突子及び基台を介してステムを押し下げるようにしたから、ステムの上端に蓋板を当接するタイプのものに比べて、確実にガス抜きを行うことができる。
また第１の手段に係る発明によれば、前後方向への回動可能な蓋板２６の先端部の左右両側に押圧手段３８を形成したから、ステムの押下げにより作動するタイプのエアゾール容器のガス抜きに適している。
第２の手段に係る発明によれば、上記前後方向への回動可能な蓋板２６の先端部の左右両側の一方に押圧手段３８を形成したから、ステムの傾動により作動するタイプのエアゾール容器のガス抜きに適している。
【００２９】
第３の手段に係る発明によれば、次の効果を奏する。
○蓋板を前後一対に形成し、これら蓋板を下方への折り返し状態で固定したから、突子との接触可能な面積を大きくすることができ、ステムの押下げを確実とすることができる。
○２枚の蓋板間にエアゾールガスを吹き込むようにしたから、ガス抜きの際にガスの噴流が直接外部に噴き出すことを防止できる。
【００３２】
第４の手段に係る発明によれば、次の効果が得られる。
○突子１４を屈曲可能な弾性材料で形成するとともに、上記押圧手段３８を前後一対の蓋板２６の先端部内面の一方或いは双方から突出する邪魔板４０で形成したから、突子の長さや位置の成形誤差により、突子への押圧手段の圧接が不十分となることがなく、高い信頼性が得られる。
○突子１４の屈曲変形により、容器やブラシの上下のばらつきを吸収し、容器とキャップの嵌合を安定化させることができる。
【００３３】
第５の手段に係る発明によれば、容器体に対してキャップを特定方向にセットしなくてもよく、位置決めが不要なので使い勝手がよい。
【００３４】
第６の手段に係る発明によれば、突子を頭皮タッチ用のブラシとしたから、頭皮にマッサージをしながらエアゾールを噴出すことができる。
【発明を実施するための最良の形態】
【００３５】
図１から図８は、本願発明のガス抜き可能なエアゾール容器の第１実施形態を示している。このエアゾール容器は、容器体２と、装着筒８と、補助部材１０と、キャップ２０とで構成されている。
【００３６】
容器体２は、図示の例において、胴部３から肩部を介して外側への巻返しのリム（図示せず）を形成した缶タイプのものであり、リム内方の上端部からステム４を起立している。本実施形態においてステムは上方付勢させて押下げ可能に設けており、この押下げによりエアゾールガスを噴き出すように設計している。
【００３７】
装着筒８は、容器体２のリムに筒壁下端を嵌合させて起立している。図示の装着筒は、上半部小外径に形成している。
【００３８】
補助部材１０は、上記ステム４に付設した基台１２と、この基台の上面から起立した複数本の突子１４とを有する。
【００３９】
上記基台１２は、ステム４と連動して上下動可能とし、基台の外面は装着筒内面により上下方向に案内されている。ステム４は基台１２を貫通して上端開口部を基台上方に露出している。基台１２は平面視円盤状に形成されているが、その構造は適宜変更することができる。
【００４０】
上記突子１４は、ブラシとして軟材質で形成している。図示の突子は、図１に示す如く基台の上面内周部及び外周部にそれぞれ等間隔を存して植設している。図８に示す如く本実施形態のうち基台の押下げに寄与するのは、内周側の突子１４Ａのみであり、外周側の突子１４Ｂは単にブラシとしてのみ用いられる。
【００４１】
キャップ２０は、頂壁２２から垂下する周壁２４の下端を、容器体の胴部上端に周設した浅い凹部に嵌合させている。上記頂壁には、前後一対の蓋板２６を形成する。具体的には、キャップの頂壁外周部分２２ａと、頂壁の左右中間の帯状部分２２ｂとを除いて蓋板２６に形成している。頂壁外周部分２２ａと蓋板２６との間には切込み線２８を、また帯状部分２２ｂと蓋板との間には屈折線３０をそれぞれ形成している。さらにキャップ２０は、固定手段３２と押圧手段３８とを有する。
【００４２】
上記固定手段３２は、２枚の蓋板の下方折曲げ状態を維持するように構成する。図示例では、２枚の蓋板のうち下方への折曲げ状態で対応する二箇所内面から、この状態で相互に嵌合可能な大径筒３４及び小径筒３６を突出し、これら両筒で固定手段３２を形成している。
【００４３】
上記押圧手段３８は、蓋板の左右にそれぞれ設けており、各押圧手段は、前後一対の邪魔板４０からなる。これら邪魔板は、上記両蓋板２６の前後両縁には、平面視円弧状の垂直板として形成されている。蓋板を折り曲げた後には、頂壁の蓋板形成箇所に図６に示す如く排気口４２が開口される。これら各蓋板の右側の邪魔板と左側の邪魔板と間には図７に示すガス流路４４を形成するための間隙を設けている。
【００４４】
図示例では、両蓋板の邪魔板４０は、左右方向の中心線に対して前後方向に線対称に、即ち、前蓋板の右邪魔板と後蓋板の右邪魔板とが、また前蓋板の左邪魔板と後蓋板の左邪魔板とが、下方への折曲げ状態で前方から見て相互に重なり合うように形成する。また各邪魔板４０は頂壁の帯状部分の巾の半分の垂下長を有し、上記折曲げ状態で前側の邪魔板と後側の邪魔板との先端が衝合するように形成されている。これにより邪魔板の外面が突子との当接面４６となる。もっとも前側の邪魔板と後側の邪魔板のうち一方を省略して他方を倍の垂下長としても構わない。
【００４５】
上記構成において、図１及び図２の状態より、容器体２からキャップ２０を外し、次に蓋板２６を指で押下げ、押し下げることで、図６に示すように大径筒３４と小径筒３６とを相互に嵌合させ、２枚の蓋板２６を合体させる。次にキャップ２０に容器体２に嵌合させると、本願図８に示す如く上記邪魔板４０の当接面４６に突子の先端部が当たって同図に示す２本の突子を左右横外方へ屈曲する。この屈曲の反作用として、２本の突子及び基台に左右均等に押下げ力が作用する。これによりステムからエアゾールガスが噴出する。ステムから噴き出されたガスは、図８に示す左右邪魔板４０間のガス流路４４を経由し、頂壁の帯状部分２２ｂと２枚の蓋板とで囲う間隙４８中に入る。ガス流の勢いは頂板の帯状部分２２ｂの裏面に当たることで勢いを失い、上記間隙内に停留したのち左右方向からキャップ内部の前後側に流れ、さらに図７に示す排気口４２から外部へゆっくりと放出される。
【００４６】
図９〜図１６は、本発明の第２の実施形態を示している。この実施形態において第１の実施形態と同じ構成については同一の符号を付することで説明を省略する。
【００４７】
本実施形態では、第１実施形態のステムの上下動によりガスを噴出する構成に代えてステムの傾動によりガスを噴出する構成に置き換えたことである。そして第１の実施形態の構成のうち各蓋板の左右の邪魔板のうち一方を省略している。
【００４８】
このような構成とすることで、ガス抜きの際に図１６に示す如く、突子が左右一方にのみ押し下げられ、ステム４が傾動する。これによりエアゾールガスを噴出し続けることができる。本実施形態の作用のうち第１実施形態と同じことに関しては、第１実施形態の記載を援用する。
【図面の簡単な説明】
【００４９】
【図１】本発明の第1実施形態に係るガス抜き可能なエアゾール容器の平面図である。
【図２】図１の容器の前方から見た断面図である。
【図３】図１の容器の左右側方から見た断面図である。
【図４】図１容器の容器体の斜視図である。
【図５】図１容器のキャップの斜視図である。
【図６】図５のキャップの作用を示す図である。
【図７】図１容器の使用状態を示す図である。
【図８】図７と同じ使用状態を別の角度から見た図面である。
【図９】本発明の第1実施形態に係るガス抜き可能なエアゾール容器の平面図である。
【図１０】図９の容器の前後方向から見た断面図である。
【図１１】図９の容器の左右方向から見た断面図である。
【図１２】図９容器の容器体の斜視図である。
【図１３】図９容器のキャップの斜視図である。
【図１４】図１３のキャップの作用を示す図である。
【図１５】図９容器の使用状態を示す図である。
【図１６】図１５と同じ使用状態を別の角度から見た図面である。
【符号の説明】
【００５０】
２…容器体  ４…ステム  ８…装着筒  １０…補助部材  １２…基台
１４…突子
２０…キャップ  ２２…頂壁  ２２ａ…外周部分  ２２ｂ…帯状部分
２４…周壁  ２６…蓋板  ２８…切込み線  ３０…屈折線
３２…固定手段  ３４…大径筒  ３６…小径筒
３８…押圧手段  ４０…邪魔板  ４２…排気口  ４４…ガス流路  ４６…当接面
４８…間隙
【図１】
0005164097.tif 000002
【図２】
0005164097.tif 000003
【図３】
0005164097.tif 000004
【図４】
0005164097.tif 000005
【図５】
0005164097.tif 000006
【図６】
0005164097.tif 000007
【図７】
0005164097.tif 000008
【図８】
0005164097.tif 000009
【図９】
0005164097.tif 000010
【図１０】
0005164097.tif 000011
【図１１】
0005164097.tif 000012
【図１２】
0005164097.tif 000013
【図１３】
0005164097.tif 000014
【図１４】
0005164097.tif 000015
【図１５】
0005164097.tif 000016
【図１６】
0005164097.tif 000017